(57)【特許請求の範囲】
【請求項１】
照射光を発する光源と、この光源の周囲を旋回可能に設けられた反射板とを備え、前記反射板を旋回させることにより、前記光源が発する照射光を周囲に旋回させる回転灯装置を備え、この回転灯装置で照射光を旋回させる演出が行えるようになっている遊技機であって、
前記回転灯装置には、
前記反射板を旋回駆動する原動機を備えた旋回駆動機構部と、
前記光源及び前記反射板の周囲を全周にわたって囲む側壁部を有するカバー部と、
前記側壁部が前記光源及び前記反射板の周囲を回転するように前記カバー部を回動させる原動機を備えたカバー駆動機構部とが設けられ、
前記カバー部は、前記光源が発する照射光を透過させる透光部と、前記光源が発する照射光を遮断する遮断部とを備え、前記遮断部の内側面は鏡面となっており、
前記カバー駆動機構部は、前記遮断部が前記光源及び前記反射板の正面側に位置して前記光源が発する照射光を遮断する遮断位置と、前記遮断部が前記光源及び前記反射板の背面側に位置して前記透光部が前記光源の発する照射光及び光源の照射光が前記遮断部の鏡面により反射された反射光を前方に透過する透過位置との間で、前記カバー部を回動させることができるように形成されていることを特徴する遊技機。
【請求項２】
前記回転灯装置のカバー部に設けられている前記透光部及び前記遮断部の一の境目が、当該カバー部の回動角度位置の原点として設定され、
前記透光部及び前記遮断部の境目の通過を検知するセンサが設けられ、
前記カバー駆動機構部に備えられている原動機としてステッピングモータが採用されていることを特徴とする請求項１記載の遊技機。
【請求項３】
前記回転灯装置のカバー部には、複数の透光部が設けられ、且つ、これらの透光部は、その通過光の色が互いに異なったものであることを特徴とする請求項１又は２記載の遊技機。
【請求項４】
照射光を発する光源と、この光源の周囲を旋回可能に設けられた反射板とを備え、前記反射板を旋回させることにより、前記光源が発する照射光を周囲に旋回させる回転灯装置であって、
前記反射板を旋回駆動する原動機を備えた旋回駆動機構部と、
前記光源及び前記反射板の周囲を全周にわたって囲む側壁部を有するカバー部と、
前記側壁部が前記光源及び前記反射板の周囲を回転するように前記カバー部を回動させる原動機を備えたカバー駆動機構部とを備え、
前記カバー部は、前記光源が発する照射光を透過させる透光部と、前記光源が発する照射光を遮断する遮断部とを備え、前記遮断部の内側面は鏡面となっており、
前記カバー駆動機構部は、前記遮断部が前記光源及び前記反射板の正面側に位置して前記光源が発する照射光を遮断する遮断位置と、前記遮断部が前記光源及び前記反射板の背面側に位置して前記透光部が前記光源の発する照射光及び光源の照射光が前記遮断部の鏡面により反射された反射光を前方に透過する透過位置との間で、前記カバー部を回動させることができるように形成されていることを特徴する回転灯装置。
【発明の詳細な説明】
【技術分野】
【０００１】
本発明は、照射光を発する光源と、この光源の周囲を旋回可能に設けられた反射板とを備え、前記反射板を旋回させることにより、前記光源が発する照射光を周囲に旋回させる回転灯装置、及び、この回転灯装置を備えた遊技機に関する。
【背景技術】
【０００２】
従来から、人々に娯楽を提供する遊技機として、スロットマシンやパチンコ機等が利用されている。
このうち、スロットマシンは、複数種類の図柄が記されるとともに回転駆動可能に設けられた複数の回転リールを備えたものであり、遊技者は、複数の回転リールに設けられた複数種類の図柄を所定の組合せに揃える遊技を遊技者に行わせるものとなっている。
すなわち、遊技者がメダルをスロットマシンに投入した後、スタートレバーを操作すると、複数の回転リールが一斉に回転駆動され、この後、ストップボタンを適宜押圧操作すると、ストップボタンに対応した回転リールが適宜停止するようになっている。そして、回転リールが停止した際に、リール窓内に表示された複数の図柄が特定の組合せに揃ったときに入賞となり、入賞すると、入賞した役に応じた数のメダルがスロットマシンから遊技者に払い出されることとなる。
【０００３】
このような遊技機では、遊技が行われる毎に内部で遊技の当否に係る当否抽選が内部で行われ、この当否抽選で当選することにより、所定の当選役に対応した当選フラグが成立し、遊技者は、当該当選役への入賞が可能となる。換言すると、遊技者は、当否抽選で当選することにより初めて、リール窓内に所定の組合せの図柄を停止させることができるようになっている。具体的には、遊技者は、遊技毎に行われる当否抽選で、大きな利益が得られる特別入賞に対応した当選役であるボーナスゲームに当選して、ボーナスゲームに対応する当選フラグを成立させなければ、ボーナスゲームに入賞することができない。
そして、遊技機は、このように大きな利益の得られる可能性がある当選フラグが成立すると、当選フラグが成立したことを遊技者に報知する演出を行うようになっている。
【０００４】
ここで、遊技機は、当選フラグ成立を報知する報知演出を行うにあたり、当該遊技機に設けられている装飾用のランプを点滅動作又は連続点灯動作させる、当該遊技機に設けられている液晶表示装置の液晶パネルに報知演出用の画像を表示させる、あるいは、遊技機の近傍、又は、遊技機に直接設けられた回転灯装置を動作させ、以上により報知演出を行うようになっている。
ここで、回転灯装置で報知演出を行う遊技機としては、回転灯装置が一体的に組み込まれたものが知られている。例えば、照射光を発するランプと、このランプの照射光を反射する凹面鏡として形成された反射板と、この反射板を旋回駆動するモータとが内蔵され、且つ、その前面に、ランプ及び反射板を露出させる窓と、この窓に嵌め込まれた透明なレンズカバーとが設けられ、これにより、回転灯装置が一体化された遊技機が知られている（例えば、特許文献１参照）。
【特許文献１】特開２００４−７３３２４号（図３）
【発明の開示】
【発明が解決しようとする課題】
【０００５】
前述のような回転灯装置では、遊技機の演出を行うにあたり、照射光を旋回状態にすれば、遊技機の周囲を閃光が旋回するので、遊技者に対して充分なアピールとなるが、消灯状態で反射板を旋回させる演出動作、及び、反射板が停止状態で照射光を照射する演出動作を設定しても、これらの演出動作が地味なものとなり、遊技者へのアピールを充分行う
ことができず、点灯状態で反射板を旋回させる演出動作以外に効果的な演出動作がなく、効果的な演出動作を増やしたい、という要望がある。
また、従来の回転灯装置では、照射光を旋回させる演出動作が瞬時に始まってしまうので、回転灯装置の作動が、即、報知演出となってしまい、次第に報知演出であることが判るように、遊技者をじらすような演出を行うことができず、この点からも、効果的な演出動作を増やしたい、という要望がある。
【０００６】
そこで、各請求項にそれぞれ記載された各発明は、上記した従来の技術の有する問題点に鑑みてなされたものであり、その目的とするところは、効果的な演出動作が増やせるようになる回転灯装置及びこの回転灯装置を備えた遊技機を提供することである。
【課題を解決するための手段】
【０００７】
各請求項にそれぞれ記載された各発明は、前述の目的を達成するためになされたものである。以下に、各発明の特徴点を、図面に示した発明の実施の形態を用いて説明する。
なお、符号は、発明の実施の形態において用いた符号を示し、本発明の技術的範囲を限定するものではない。
（請求項１）
（特徴点）
請求項１記載の発明は、次の点を特徴とする。
すなわち、請求項１に記載された発明は、照射光を発する光源(65)と、この光源(65)の周囲を旋回可能に設けられた反射板(64)とを備え、前記反射板(64)を旋回させることにより、前記光源(65)が発する照射光を周囲に旋回させる回転灯装置(60)を備え、この回転灯装置(60)で照射光を旋回させる演出が行えるようになっている遊技機(1)であって、前記回転灯装置(60)には、前記反射板(64)を旋回駆動する原動機(68A) を備えた旋回駆動機構部(68)と、前記光源(65)及び前記反射板(64)の周囲を全周にわたって囲む側壁部(63A) を有するカバー部(63)と、前記側壁部(63A)が前記光源(65)及び前記反射板(64)の周囲を回転するように前記カバー部(63)を回動させる原動機(83B) を備えたカバー駆動機構部(80)とを備え、前記カバー部(63)は、前記光源(65)が発する照射光を透過させる透光部(63TR)と、前記光源(65)が発する照射光を遮断する遮断部(63CF)とを備え、前記遮断部(63CF)の内側面は鏡面となっている。そして、前記カバー駆動機構部(80)は、前記遮断部(63CF)が前記光源(65)及び前記反射板(64)の正面側に位置して前記光源(65)が発する照射光を遮断する遮断位置と、前記遮断部(63CF)が前記光源(65)及び前記反射板(64)の背面側に位置して前記透光部(63TR)が前記光源(65)の発する照射光及び光源(65)の照射光が前記遮断部(63CF)の鏡面により反射された反射光を前方に透過する透過位置との間で、前記カバー部(63)を回動させることができるように形成されていることを特徴する。
【０００８】
（請求項２）
（特徴点）
請求項２記載の発明は、前述した請求項１に記載の発明において、次の特徴点を備えているものである。
すなわち、請求項２記載の発明は、前記回転灯装置(60)のカバー部(63)に設けられている前記透光部(63TR)及び前記遮断部(63CF)の一の境目が、当該カバー部(63)の回動角度位置の原点として設定され、前記透光部(63TR)及び前記遮断部(63CF)の境目の通過を検知するセンサ(83C) が設けられ、前記カバー駆動機構部に備えられている原動機としてステッピングモータ(83B) が採用されていることを特徴とする。
【０００９】
（請求項３）
（特徴点）
請求項３記載の発明は、前述した請求項１又は２に記載の発明において、次の特徴点を備えているものである。
すなわち、請求項３記載の発明は、前記回転灯装置(60)のカバー部(63)に複数の透光部(63TR)が設けられ、且つ、これらの透光部(63TR)は、その通過光の色が互いに異なっていることを特徴とする。
（請求項４）
（特徴点）
請求項４記載の発明は、次の特徴点を備えているものである。
【００１０】
すなわち、請求項４記載の発明は、照射光を発する光源(65)と、この光源(65)の周囲を旋回可能に設けられた反射板(64)とを備え、前記反射板(64)を旋回させることにより、前記光源(65)が発する照射光を周囲に旋回させる回転灯装置(60)であって、前記反射板(64)を旋回駆動する原動機(68A) を備えた旋回駆動機構部(68)と、前記光源(65)及び前記反射板(64)の周囲を全周にわたって囲む側壁部(63A) を有するカバー部(63)と、前記側壁部(63A)が前記光源(65)及び前記反射板(64)の周囲を回転するように前記カバー部(63)を回動させる原動機(83B) を備えたカバー駆動機構部(80)とを備え、前記カバー部(63)は、前記光源(65)が発する照射光を透過させる透光部(63TR)と、前記光源(65)が発する照射光を遮断する遮断部(63CF)とを備え、前記遮断部(63CF)の内側面は鏡面となっており、前記カバー駆動機構部(80)は、前記遮断部(63CF)が前記光源(65)及び前記反射板(64)の正面側に位置して前記光源(65)が発する照射光を遮断する遮断位置と、前記遮断部(63CF)が前記光源(65)及び前記反射板(64)の背面側に位置して前記透光部(63TR)が前記光源(65)の発する照射光及び光源(65)の照射光が前記遮断部(63CF)の鏡面により反射された反射光を前方に透過する透過位置との間で、前記カバー部(63)を回動させることができるように形成されていることを特徴するものである。
【発明の効果】
【００１１】
（請求項１、４の効果）
以上のように構成されている本発明は、以下に記載されるような効果を奏する。
すなわち、請求項１、４記載の発明によれば、光源の周囲を全周に渡って囲む側壁部に照射光を遮断する遮断部と照射光を透過する透光部とが設けられているカバー部を回動可能に設け、このカバー部をカバー駆動機構部で回動させるようにしたので、カバー部は、演出等の際に当該回転灯装置が照射すべき方向を照射する光源の光を遮断する遮断位置、及び、当該光源の光を透過させる透過位置の一方から他方へ向かって回動可能となる。
なお、カバー部が透過位置に配置された状態では、カバー部の遮断部内側面に形成された鏡面が当該回転灯装置の照射すべき方向を向き、反射板が遮断部側を向いているときでも、遮断部内側面に形成された鏡面によって反射された反射光が照射すべき方向に照射されるので、カバー部に遮断部が形成されていても、回転灯装置による光の照射に何ら不具合が生じることがない。
【００１２】
また、カバー部が透過位置に配置された状態で、反射板が遮断部側を向くと、光源から照射される光が反射板で反射し、さらに、遮断部の鏡面に反射した後、すなわち、計２回反射した後、遊技者に向かって投光されるようになり、このため、光源からの直接光や、反射板のみで反射された１回反射光とは異なる雰囲気の光を遊技者に照射することができるようになる。
以上により、例えば、回転灯装置を作動させるにあたり、予めカバー部を遮断位置に配置しておき、この状態で、演出等を行うために回転灯装置を起動し、まず最初に、光源を点灯するとともに反射板を旋回させ、この後に、カバー部を遮断位置から透過位置へ向かって徐々に回動させ、これにより、照射範囲が徐々に広がる演出動作が行える。
【００１３】
一方、回転灯装置を作動させるにあたり、予めカバー部を透過位置に配置しておき、この状態で、光源を点灯するとともに反射板を旋回させれば、最初から照射可能な領域全体に照射範囲が広げられた状態で、回転灯装置の旋回照射動作を開始することができ、従来の回転灯装置と同様の演出動作が行える。
また、回転灯装置を作動させるにあたり、予めカバー部を遮断位置に配置しておき、この状態で、光源を点灯するとともに反射板を旋回させ、次いで、カバー駆動機構部を起動して、カバー部を遮断位置から透過位置へ向かって徐々に回動させ、途中で、カバー部を遮断位置へ戻す方向へ回動させた後、再度、カバー部を透過位置へ向かって回動させ、最終的に、カバー部を透過位置まで到達させることにより、遊技者をじらすような演出動作も行うことができる。
【００１４】
さらに、回転灯装置を作動させるにあたり、予めカバー部を遮断位置に配置しておき、この状態で、光源を点灯するとともに反射板を旋回させ、次いで、カバー駆動機構部を起動して、カバー部を遮断位置から透過位置へ向かって徐々に回動させ、カバー部の遮断部が中間地点に達したら、カバー部の回動方向を逆転し、カバー部を遮断位置へ戻してしまうダミー演出動作を行うことも可能となり、以上により、効果的な演出動作を増やすことができ、従って、前記目的を達成することができる。
（請求項２の効果）
請求項２記載の発明によれば、上記した請求項１記載の発明の効果に加え、次のような効果を奏する。
【００１５】
すなわち、請求項２記載の発明によれば、カバー部の側壁部を回動させる原動機としてステッピングモータを採用したので、ステッピングモータに送られた電力パルスの数をカウントすることで、回動するカバー部の側壁部の回動角度位置を判定できるようになる。
ここで、側壁部を回動させるにあたり、カバー部に設けられている透光部及び遮断部の境目を回動角度位置における原点に設定するとともに、側壁部の原点である境目の通過を検出するセンサを設け、側壁部を回動させた際に、側壁部の原点が通過したことを検出し、さらに、側壁部の原点が通過した時点からステッピングモータに送られた電力パルスの数をカウントすれば、回動角度位置を検出するロータリエンコーダ等のセンサを別途設けなくとも、側壁部の回動角度位置を正確に判定することができる。
【００１６】
（請求項３の効果）
請求項３記載の発明によれば、上記した請求項１又は２記載の発明の効果に加え、次のような効果を奏する。
すなわち、請求項３記載の発明によれば、カバー部に複数の透光部を設け、且つ、透光部の通過光の色を互いに異ならせたので、遮断部が光源の光を遮断している遮断状態から透光部に光源の光を透過させる透過状態へ移行することで所定の当選役に当選したことを報知する報知演出が行えるだけでなく、透過光の色が異なる複数の透光部を切り換えることにより、異なる当選役の報知演出、あるいは、信頼度の異なる報知演出が行えるようになり、この点からも、効果的な演出動作を増やすことができる。
【発明を実施するための最良の形態】
【００１７】
以下に、本発明を実施するための最良の形態である一実施形態について、図面を参照しながら説明する。
（図面の説明）
図１〜図５は、本実施形態を示すものであり、図１は、本実施形態に係る遊技機であるスロットマシンの全体を示す正面図、図２は、本実施形態に係る回転灯装置を示す斜視図、図３は、本実施形態に係る回転灯装置を示す断面図、図４は、本実施形態に係る回転灯装置を示す分解斜視図、図５は、本実施形態に係る回転灯装置におけるカバー部の接続部分を示す拡大断面図である。
【００１８】
（スロットマシン１の概要）
本実施形態に係るスロットマシン１は、複数の回転リール40の各々に記された複数種類の図柄が所定の組合せとなるように、回転している回転リール40を停止させる遊技を行うものである。このスロットマシン１には、図１に示すように、当該スロットマシン１の各種装置を収納するとともに、正面形状が長方形となった筐体２が備えられている。
筐体２は、正面全体が開口された箱状の部材である。そして、筐体２には、その開口を塞ぐための前扉３が回動可能に設けられている。
前扉３の上下方向における中央部分は、スロットマシン１の遊技操作を行うための操作部４となっている。
【００１９】
操作部４には、図１中右側から、前扉３の施錠を行う鍵が差し込まれる鍵穴3Aと、遊技用メダルが投入されるメダル投入口18と、回転リール40の回転を停止させるストップスイッチ50と、メダル投入口18に投入されたメダルのうち該遊技に賭けるメダルの枚数を設定するためのベットスイッチ16と、回転リール40の回転を開始させるスタートスイッチ30と、貯留されているメダルを払い戻させるための精算スイッチ17とが設けられている。
操作部４の下方には、文字及び図の少なくとも一方からなる標章、例えば、スロットマシン１の機種名を鮮明に表示するための下パネル3Bが設けられている。この下パネル3Bの裏側には、下パネル3Bを後方から照らす図示しないバックライト装置が設けられている。さらに、下パネル3Bの下方には、払い出されたメダルを溜めておくためのメダル受け3Cが設けられている。
【００２０】
また、操作部４の上方には、横方向に細長い長方形状に形成された図柄表示窓13が設けられている。図柄表示窓13は、筐体２の内部に収納された回転リール40の図柄41を遊技者に見せるための窓である。
図柄表示窓13の上方左右の角隅近傍には、種々の音声を出力するためのスピーカ42が設けられている。また、図柄表示窓13の中央部上方には、本発明に基づく回転灯装置60が設けられている。これらの回転灯装置60、スピーカ42及び図柄表示窓13の周囲には、回転灯装置60、スピーカ42及び図柄表示窓13の図１中左方、上方、右方を囲むように、逆Ｕ字形に配列された装飾ランプ部43が設けられている。
【００２１】
これらの装飾ランプ部43、回転灯装置60及びスピーカ42は、各遊技毎にスロットマシン１の内部で行われる当否抽選で、所定の当選役に対応した当選フラグが成立した際に行われる演出を行うための演出手段44となっている。
この演出手段44は、遊技者に当選フラグが成立すると、例えば、ボーナスフラグが成立すると、装飾ランプ部43を点灯又は点滅させる、回転灯装置60を作動させて、その照射光を旋回させる、及び、スピーカ42から当選音を発生させる等のいずれか一つを単独で作動させる、若しくは、これら二つ以上、又は、全部を同時に作動させることにより、遊技者に当選フラグの成立を報知する報知演出を行うようになっている。
【００２２】
筐体２の内部には、前述の三個の回転リール40を回転可能に支持するとともに、各回転リール40を回転駆動する図示しないモータを備えたリールユニット45と、メダル投入口18に投入されたメダルを検知する投入スイッチ15と、この投入スイッチ15を通過してきたメダルを貯留する容器であるとともに、入賞時には遊技者にメダルを払い出すホッパーユニット46とが設けられている。
このうち、リールユニット45は、図示しない枠体と、この枠体に支持された前述の図示しない三個のモータと、各々のモータの出力軸に結合された三個の回転リール40とを備えたものである。
【００２３】
ホッパーユニット46は、内部に貯留しているメダルを入賞時に遊技者に払い出すために、メダル受け3Cに臨むように開口された払い出し口46A を通じてメダルをメダル受け3Cへ排出するものである。
（回転灯装置60）
次に、本実施形態に係る回転灯装置60について説明する。
図２〜図５には、本実施形態に係る回転灯装置60が示されている。図２〜図５において、回転灯装置60は、略白色の照射光を発する光源である白熱電球65と、この白熱電球65の周囲を旋回可能に設けられた反射板64とを備えたものとなっている。そして、回転灯装置60は、反射板64を旋回させることにより、白熱電球65が発する照射光を周囲に旋回させながら、当該照射光を周囲に照射するようになっている。
【００２４】
回転灯装置60には、図２〜図４に示すように、白熱電球65及び反射板64に加えて、反射板64を旋回駆動するための旋回駆動機構部68と、旋回駆動機構部68を内部に収納するケース部61と、白熱電球65及び反射板64を内部に収納するカバー部63と、このカバー部63を回動させるためのカバー駆動機構部80（図２及び図４参照）と、ケース部61及びカバー部63の間に介装されている接続部62とが設けられている。
反射板64は、旋回駆動機構部68に回転自在に設けられるとともに、その回転軸の上に焦点が設けられている凹面鏡である。白熱電球65及び反射板64は、反射板64の焦点位置と、白熱電球65の発光するフィラメントの中心位置とがほぼ一致するように、回転灯装置60に取り付けられている。
【００２５】
旋回駆動機構部68は、反射板64を旋回駆動する原動機として、電力で作動するモータ68A を有するものとなっている。
この旋回駆動機構部68には、図３及び図４の如く、前述のモータ68A に加えて、モータ68A の出力軸に取り付けられたピニオンギア68B と、モータ68A の駆動力を減速するための減速ギア68C と、モータ68A の駆動力で回転駆動される回転基部68D と、モータ68A を支持する平板状の支持ベース板68E と、回転基部68D を下方から回転自在に支持するホルダ部68F とが設けられている。
このうち、減速ギア68C は、大型の歯車と小型の歯車が同軸位置になるように一体化されたものであり、大型の歯車がモータ68A の取り付けられたピニオンギア68B と噛み合っている。
【００２６】
回転基部68D は、平たい円形リング状に形成されたものである。この回転基部68D の円形リング状の内周縁部分には、減速ギア68C の小型の歯車と噛み合うための歯車部68G が設けられている。
具体的に説明すると、円形リング状に形成された回転基部68D の内周縁部分は、モータ68A 側に突出する円筒状に形成され、この円筒状の外周面には、減速ギア68C の小型の歯車と噛み合う多数の歯が形成されている。回転基部68D の歯車部68G は、これらの歯により形成されたものとなっている。
回転基部68D の外周縁近傍の部分には、図３の如く、複数の嵌合凹部68H が設けられている。一方、反射板64の回転基部68D 側に配置された端部は、円盤状に広がったターンテーブル部64A とされている。このターンテーブル部64A の回転基部68D 側を臨む面には、回転基部68D 側に複数設けられた嵌合凹部68H に対応して、複数の突起部64B が突設されている。反射板64は、その突起部64B のそれぞれが回転基部68D の対応する嵌合凹部68H に嵌合され、これにより回転基部68D に対して回り止めされ、この状態で、回転基部68D にネジ留めされている。
【００２７】
また、回転基部68D の内周面には、図３中下方を向いた突出面を備えた段付部68I が形成されている。一方、ホルダ部68F の外周面には、図３中上方を向いた突出上面を備えた鍔部68J が突設されている。そして、回転基部68D の段付部68I は、その内径D1（図４参照）がホルダ部68F 本体の外周面の直径D2（図４参照）よりも僅かに小さくなるように設定されている。これにより、回転基部68D は、ホルダ部68F に設けられた鍔部68J の上に段付部68I を載せると、この状態で、ホルダ部68F に回転自在に支持されるようになっている。
そして、ホルダ部68F には、図４中上方の面から支持ベース板68E へ向かって延びる一対の脚部68K が設けられている。ホルダ部68F は、リング状の回転基部68D の内部に脚部68K を挿通させ、且つ、その鍔部68J に回転基部68D の段付部68I を支持させた状態で、脚部68K の先端が支持ベース板68E に接合されている。
【００２８】
支持ベース板68E のカバー部63側の面には、図３及び図４の如く、白熱電球65を支持するソケット67の基端が取り付けられている。このソケット67は、筒状の本体内部に図示しない一対の電極が形成されたものである。白熱電球65は、ソケット67の電極と電気的に接続して電力供給を受けるようになっている。
ここで、反射板64の円盤状に広がったターンテーブル部64A 及びホルダ部68F には、中央部分にソケット67の先端部分を挿通させる挿通孔64C, 68Lが設けられている。
白熱電球65は、ホルダ部68F の挿通孔68L 及び反射板64の挿通孔64C の内部に挿通されたソケット67の内部に、その電極部65A が嵌合するようになっている。
【００２９】
ケース部61は、図２の如く、平面形状がU字形状に形成された底板部61D と、この底板部61D の周縁に沿って立設された側壁部61C とを備えた箱状に形成されたものであり、内部に旋回駆動機構部68を収納するようになっている。なお、底板部61D は、U字形状の半円形状に膨出した部分が他の部分から斜めに起き上がり、その断面形状が「へ」の字形に形成されたものである。
ケース部61には、図２〜図４の如く、スロットマシン１にネジ留めするために、図４中上方の面及び側面のそれぞれから突出する複数の耳部61A が設けられている。これらの耳部61A の各々には、スロットマシン１の被取付部位に螺合させるための図示しないネジが略水平方向に挿通されるネジ挿通孔61B が形成されている。
【００３０】
このケース部61の内部には、図３及び図４の如く、前述の旋回駆動機構部68に加えて、旋回駆動機構部68のモータ68A 及び白熱電球65を制御するための制御回路部が形成された回路基板70が収納されている。この回路基板70の制御回路部は、旋回駆動機構部68のモータ68A 及び白熱電球65への電力を入り切りするための図示しないスイッチング素子を備え、外部から指令信号、具体的には、スロットマシン１から演出指令信号を受信し、この演出指令信号に応じてモータ68A 及び白熱電球65を作動させるものとなっている。
カバー部63は、図４中上方となる一端側が開口された円筒状の側壁部63A と、この側壁部63A の他端側を塞ぐ半球状のドーム部63C とを備えた容器状に形成され、内部に白熱電球65及び反射板64を収納するようになっている。このカバー部63の内法は、白熱電球65の周囲を反射板64が回転可能となるように設定されている。
【００３１】
ここで、カバー部63の側壁部63A は、光源である白熱電球65及び反射板64の周囲を全周に渡って囲む部位となっている。そして、このようなカバー部63は、後述するカバー駆動機構部80を介してケース部61に取り付けられ、これにより、白熱電球65及び反射板64の周囲を回動可能となっている。
また、カバー部63は、白熱電球65が発する照射光を外部へ照射できるように、透明赤色の合成樹脂を射出成形し、所定の範囲に鍍金を施したものである。
すなわち、カバー部63は、回動する方向に沿った半分の領域、換言すると、図３中左側の領域が、鍍金のなされていない部分であって、白熱電球65の発する照射光を透過させる透光部63TRとなっている。
【００３２】
そして、カバー部63の残りの領域、換言すると、図３中右側の領域が、鍍金のなされた部分であって、白熱電球65の発する照射光を遮断する遮断部63CFとなっている。この鍍金がなされた遮断部63CFの内側面は、白熱電球65の発する照射光を反射するように鏡面となっている。
以上において、側壁部63Aは、白熱電球65の発する照射光を透過させる透光部63TRと、白熱電球65の発する照射光を遮断する遮断部63CFとを備えたものとなっている。
これらの透光部63TR及び遮断部63CFは、図３の如く、カバー部63において、白熱電球65及び反射板64を間に挟んで互いに反対側に配置されるように形成されている。
【００３３】
ここで、カバー部63の回動方向に沿った遮断部63CFの幅寸法は、光源から照射される光を遮断して遊技者に到達させないように、光源の幅に応じて設定されている。本実施形態では、光源として白熱電球65が採用されているので、そのフィラメントの長さよりも遮断部63CFの幅寸法を大きくすれば、光の遮断は可能である。一方、細長い蛍光灯や面状に形成された有機ＥＬ素子が採用され、且つ、これらの光源におけるカバー部63の回動方向に沿った寸法がある白熱電球のフィラメントよりも著しく大きい場合には、採用した光源に相応な幅寸法が設定された遮断部63CFを採用する必要がある。
このような遮断部63CFを採用すれば、必要最低限の幅寸法で、カバー部63を回動させた際に、遊技者へ照射される光を瞬間的に遮断でき、光源の直接光が遊技者に到達しない時間を生み出すことができる、という効果が得られる。
【００３４】
このようなカバー部63の側壁部63A の開口に近接する内周面、換言すると、カバー部63の開口に近接する内周面には、図４の如く、螺旋状に延びるネジ溝からなる雌ネジ部63B が形成されている。これにより、カバー部63の開口近傍部分は、雌ネジ部63B を備えた雌ネジとなっている。そして、この雌ネジ部63B が、カバー部63を接続部62に接続する接続部分（螺合部分）となっている。
接続部62は、カバー部63をケース部61に接続するためのものである。換言すると、接続部62は、カバー部63が回動可能に取り付けられた状態で、ケース部61に接合されるものとなっている。
【００３５】
すなわち、接続部62は、図３〜図５に示すように、リング状の部材である。この接続部62には、ケース部61の側壁部61C と対応する側壁部62A が形成されている。この側壁部62A の上端面には、外周側が段差となるように段付部62B が設けられている。
一方、ケース部61の側壁部61C には、図３及び図５に示すように、接続部62の段付部62B に対応して、その上端面の内周側が段差となった段付部61F が形成されている。
接続部62は、その段付部62B がケース部61側の段付部61F の内側に嵌め込まるように形成されている。
そして、このように形成された接続部62には、外周縁に沿って多数の歯が形成された歯車部81A を有するギアリング部81が回動可能に取り付けられ、更に、ギアリング部81の内部に配置されるとともに、当該ギアリング部81を下方から回転自在に支持するリテーナリング部82が固定されるようになっている。
【００３６】
ギアリング部81は、カバー部63が一体化され、且つ、カバー部63とともにケース部61に対して回動可能となったものである。
このギアリング部81の歯車部81A よりもカバー部63側に設けられた側壁部81B は、図４及び図５の如く、カバー部63側へ延出したものとなっている。この側壁部81B の外周面には、ネジ溝が形成され、これにより、側壁部81B が雄ネジとなっている。
このようなギアリング部81は、雄ネジとなっている側壁部81B の先端縁がカバー部63の開口内部に嵌め込まれた状態で、カバー部63及びギアリング部81の一方を他方に対して相対的に回転させ、雄ネジとなっている側壁部81B をカバー部63の雌ネジ部63B に螺合することにより、カバー部63が一体化されるようになっている。
【００３７】
また、ギアリング部81の内周面には、図４及び図５中上方の端縁部分の全周に沿って延びているとともに、径方向内側に突出した鍔部81C が設けられている。
リテーナリング部82は、ギアリング部81の内径よりも一回り小さい外径を有するリング状の部材である。
このリテーナリング部82の外周面には、図４及び図５中下方の端縁部分の全周に沿って延びているとともに、径方向外側に突出した鍔部82A が設けられている。
このようなリテーナリング部82の鍔部82A は、ギアリング部81の鍔部81C を摺動可能に支持するように形成されている。この鍔部82A により、リテーナリング部82は、ギアリング部81を回転自在に支持できるようになっている。
【００３８】
ここで、接続部62の側壁部62A には、ケース部61と螺合するネジ62C (図５参照）を挿通させる挿通孔62D が形成されている複数の突起部62E が設けられている。
接続部62は、接続部62の側壁部62A に形成された突起部62E と、リテーナリング部82の鍔部82A との間に、ギアリング部81の鍔部81C を挟持させた状態で、リテーナリング部82の挿通孔82B 及び突起部62E の挿通孔62D の両方に挿通されたネジ62C をケース部61に螺合させることにより、ケース部61に取り付けられている。
そして、ギアリング部81は、接続部62の突起部62E と、リテーナリング部82の鍔部82A との間に鍔部81C が挟持され、これにより、接続部62に回転自在に支持され、ひいては、ケース部61に回転自在に取り付けられている。
【００３９】
また、接続部62の開口の周囲には、図４の如く、回転灯装置60がスロットマシン１に取り付けられた際に、カバー部63の後方に隠れる位置に、図４中の下方を向いた面を有する略三角形の天井部62F が形成されている。この天井部62F の図４中の下方を向いた面には、カバー部63を回動させるための駆動ボックス83が取り付けられている。
駆動ボックス83は、図２及び図４に示すように、カバー部63の後方を向いた側面に沿って配置されるとともに、三角柱状の外観を有する装置である。この駆動ボックス83には、ギアリング部81の歯車部81A と噛み合うピニオンギア83A （図４参照）と、ピニオンギア83A を駆動するステッピングモータ83B と、カバー部63に向かって照射した光の反射光を検出することで、透光部63TR及び遮断部63CFの境目（境界部分）の通過を検知する光学センサ83C （図４参照）と、ステッピングモータ83B の動作を制御する図示しない制御回路とが内蔵されている。
【００４０】
ここで、カバー部63の側壁部63A には、その回動一回転において、透光部63TR及び遮断部63CFの境目（境界部分）が二つ存在しており、そのうちの一方がカバー部63の回動における回動角度位置の原点として設定されている。
そして、駆動ボックス83の制御回路は、前述した光学センサの出力信号を受信することにより、カバー部63を回動させた際に、カバー部63の原点が通過したことを検出し、さらに、カバー部63の原点が通過した時点からステッピングモータ83B に送られた電力パルスの数をカウントすることで、カバー部63の回動角度位置を正確に判定するようになっている。
以上において、接続部62、ギアリング部81、リテーナリング部82及び駆動ボックス83によって、カバー部63の側壁部63A をカバー部63とともに回動させる原動機であるステッピングモータ83B を備えたカバー駆動機構部80が形成されている。
【００４１】
そして、カバー部63は、カバー駆動機構部80の作動により、演出等の際に、当該回転灯装置60が照射すべき方向を照射する白熱電球65の光を遮断する遮断位置、及び、当該白熱電球65の光を透過させる透過位置の一方から他方へ向かって回動可能となる。
さらに具体的に説明すると、カバー部63は、カバー駆動機構部80の作動により、図３に示すように、カバー部63の透光部63TRが位置α側に配置されてスロットマシン１の前方を向く透過位置、及び、逆に、カバー部63の遮断部63CFが位置α側に配置される遮断位置の一方から他方へ向かって回動可能となっている。
前述のような本実施形態によれば、次のような効果が得られる。
【００４２】
すなわち、白熱電球65の周囲を全周に渡って囲む側壁部63A に、照射光を遮断する遮断部63CFと、照射光を透過する透光部63TRとが設けられているカバー部63を回動可能に設け、このカバー部63をカバー駆動機構部80で回動させるようにしたので、カバー部63は、遮断位置及び透過位置の一方から他方へ向かって回動可能となる。
ここで、カバー部63が透過位置に配置された状態では、カバー部63の遮断部63CFの内側面に形成された鏡面が当該回転灯装置60の照射すべき方向を向き、反射板64の反射面が遮断部63CF側を向いているときでも、遮断部63CFの内側面に形成された鏡面によって反射された反射光が照射すべき方向に照射されるので、カバー部63に遮断部63CFが形成されていても、回転灯装置60の照射に何ら不具合が生じることがない。
【００４３】
これにより、回転灯装置60を作動させるにあたり、予めカバー部63を遮断位置に配置しておき、この状態で、まず最初に、白熱電球65を点灯するとともに反射板64を旋回させ、この後に、カバー部63を遮断位置から透過位置へ向かって徐々に回動させ、これにより、白熱電球65の光が照射する照射範囲を徐々に広げる演出動作を行うことができる。
一方、回転灯装置60を作動させるにあたり、予めカバー部63を透過位置に配置しておき、この状態で、白熱電球65を点灯するとともに反射板64を旋回させれば、最初から照射可能な領域全体に照射範囲が広げられた状態で、回転灯装置60の旋回照射動作を開始することができ、従来の回転灯装置と同様の演出動作が行える。
【００４４】
また、回転灯装置60を作動させるにあたり、予めカバー部63を遮断位置に配置しておき、この状態で、白熱電球65を点灯するとともに反射板64を旋回させ、次いで、カバー駆動機構部80を起動して、カバー部63を遮断位置から透過位置へ向かって徐々に回動させ、途中で、カバー部63を遮断位置へ戻す方向へ回動させた後、再度、カバー部63を透過位置へ向かって回動させ、最終的に、カバー部63を透過位置まで到達させることにより、遊技者をじらすような演出動作を行うことができる。
さらに、回転灯装置60を作動させるにあたり、予めカバー部63を遮断位置に配置しておき、この状態で、白熱電球65を点灯するとともに反射板64を旋回させ、次いで、カバー駆動機構部80を起動して、カバー部63を遮断位置から透過位置へ向かって徐々に回動させ、カバー部63の遮断部63CFが中間地点に達したら、カバー部63の回動方向を逆転し、カバー部63を遮断位置へ戻してしまうダミー演出動作を行うことができる。
【００４５】
従って、前述のように、異なった複数種類の演出動作が実現でき、これにより、効果的な演出動作の種類を増やすことができる。
また、透光部63TR及び遮断部63CFの境目を、カバー部63の回動角度位置における原点として設定しておき、さらに、カバー部63に向かって照射した光の反射光を検出する光学センサを設け、これにより、透光部63TR及び遮断部63CFの境目、すなわち、原点の通過を検出できるようにし、さらに、カバー部63を回動させる原動機としてステッピングモータ83B を設け、カバー部63の原点通過を契機として、ステッピングモータ83B に送られた電力パルスの数をカウントするようにしたので、回動角度位置を検出するロータリエンコーダ等のセンサを別途設けなくとも、カウントされた電力パルスの数に基づいて、カバー部63の回動角度位置を正確に判定することができる。
【００４６】
なお、本発明は、前記実施形態に限定されるものではなく、本発明の目的を達成できる範囲における変形及び改良などをも含むものである。
例えば、カバー部としては、透光部が一つのみ設けられたものに限らず、それぞれ透過光の色が異なる複数の透光部が設けられたものでもよい。例えば、図６に示すように、透過光の色が互いに異なる赤色透光部63TRR 及び青色透光部63TRB の二つが設けられたカバー部71でもよい。
このようなカバー部71を採用する場合、遮断部63CF、赤色透光部63TRR 及び青色透光部63TRB によって、カバー部71の側壁部63A が周方向に三等分されるように、遮断部36CF、赤色透光部63TRR 及び青色透光部63TRB の各長さ寸法を設定し、この長さ寸法に対応したサイズの回転灯窓72A が形成された遮光カバー72を設けてもよい。
【００４７】
このようにすれば、カバー部71の遮断部36CFがスロットマシン１の前側を向いたときには、回転灯装置60による照射が殆どなされない。一方、赤色透光部63TRR がスロットマシン１の前側を向いたときには、赤色光の照射のみを行うことができ、且つ、青色透光部63TRB がスロットマシン１の前側を向いたときには、青色光の照射のみを行うことができる。
また、複数の透光部63TRR，63TRBが設けられたカバー部71を採用し、透光部63TRR，63TRBの通過光の色を互いに異ならせたので、遮断部63CFが白熱電球65の光を遮断している遮断状態から透光部63TRR，63TRBに白熱電球65の光を透過させる透過状態へ移行することで所定の当選役に当選したことを報知する報知演出が行えるだけでなく、透過光の色が異なる複数の透光部63TRR，63TRBの一方から他方へ切り換えることにより、異なる当選役の報知演出、あるいは、信頼度の異なる報知演出が行えるようになり、この点からも、効果的な演出動作を増やすことができる。
【００４８】
さらに、カバー部としては、遮断部が一つのみ設けられたものに限らず、複数の遮断部が設けられたものでもよい。例えば、図７に示すように、赤色透光部63TRR 及び青色透光部63TRB の間にそれぞれ配置された二つ遮断部63CFが設けられたカバー部73でもよい。
このようなカバー部73を採用する場合、二つの遮断部36CF、赤色透光部63TRR 及び青色透光部63TRB によって、カバー部71の側壁部63A が周方向に四等分されるように、遮断部36CF、赤色透光部63TRR 及び青色透光部63TRB の各長さ寸法を設定するのが好ましい。
このようなカバー部73によっても、透過光の色が異なる複数の透光部63TRR，63TRBの一方から他方へ切り換えることにより、異なる当選役の報知演出、あるいは、信頼度の異なる報知演出が行えるようになり、この点から、効果的な演出動作を更に一層増やすことができる。
【００４９】
また、回転灯装置の光源としては、白熱電球65に限らず、冷陰極線管等の蛍光灯や水銀灯等のディスチャージランプ、あるいは、発光ダイオードや有機ＥＬ素子等の固体発光素子でもよい。
さらに、旋回駆動機構部及びカバー駆動機構部の原動機としては、電力で駆動するモータに限らず、圧搾空気で駆動するエアー・アクチュエータでもよく、原動機の具体的な構造は、実施あたり適宜選択できるが、カバー駆動機構部の原動機としてステッピングモータを採用すれば、前記実施形態で説明した効果を得ることができる。
また、遊技機としては、スロットマシンに限らず、パチンコ機等でもよく、本発明は、回転灯装置を備えた遊技機全般に適用することができる。
【図面の簡単な説明】
【００５０】
【図１】本発明の一実施形態に係る遊技機であるスロットマシンの全体を示す正面図である。
【図２】前記実施形態に係る回転灯装置を示す斜視図である。
【図３】前記実施形態に係る回転灯装置を示す断面図である。
【図４】前記実施形態に係る回転灯装置を示す分解斜視図である。
【図５】前記実施形態に係る回転灯装置におけるカバー部の接続部分を示す拡大断面図である。
【図６】本発明の変形例を示す平断面図である。
【図７】本発明の異なる変形例を示す平断面図である。
【符号の説明】
【００５１】
１          遊技機としてのスロットマシン
60          回転灯装置
61          ケース部
63,71,73    カバー部
63A         側壁部
63CF        遮断部
63TR        透光部
63TRR       透光部としての赤色透光部
63TRB       透光部としての青色透光部
64          反射板
65          光源としての白熱電球
68          旋回駆動機構部
68A         旋回駆動機構部の原動機としてのモータ
80          カバー駆動機構部
83B         カバー駆動機構部の原動機としてのステッピングモータ
【図１】
0005467249.tif 000002
【図２】
0005467249.tif 000003
【図３】
0005467249.tif 000004
【図４】
0005467249.tif 000005
【図５】
0005467249.tif 000006
【図６】
0005467249.tif 000007
【図７】
0005467249.tif 000008